(57)【要約】【課題】  省電力化を図り、操作の煩わしさもなく非接触でカードの識別及びカード情報の読み取りを行う。【解決手段】  非接触式カード錠１は、待機状態において電池３からカード検知手段６のみに周期的に駆動電源を供給する。カード検知手段６が間欠的な電磁波の出力によって非接触ＩＣカード１０の存在を識別すると、カード検知手段６への駆動電源の供給が断たれ、データ通信用ＲＦ回路７、カードロック制御回路８、電気錠９に電池３から駆動電源が供給される。データ通信用ＲＦ回路７が非接触ＩＣカード１０とデータ通信して読み取ったカード情報と登録情報とを照合比較する。カード情報と登録情報が一致すると、カードロック制御回路８が電気錠９を解錠制御する。【選択図】    図１
2005023734.tif 000002
【特許請求の範囲】
【請求項１】
駆動電源を供給するための電池と、
前記電池からの周期的な駆動電源の供給に伴い、予め設定されたカード検知周波数の電磁波を間欠的に出力し、この電磁波の出力に伴う前記非接触ＩＣカードのＬＣ共振回路の共振により非接触ＩＣカードの存在を識別するカード検知手段と、
前記カード検知手段が前記非接触ＩＣカードの存在を識別して前記電池から駆動電源が供給されたときに、前記該非接触ＩＣカードとデータ通信して前記非接触ＩＣカードのカード情報と、予め設定された登録情報とを照合比較し、前記カード情報と前記登録情報が一致したときに制御信号を出力するデータ通信手段と、
前記カード検知手段への駆動電源の供給／遮断を切り替える第１電源スイッチと、
前記データ通信手段への駆動電源の供給／遮断を切り替える第２電源スイッチと、
所定間隔おきに前記第１電源スイッチをオン／オフ制御するとともに、前記カード検知手段からの検知信号の入力時に前記第１電源スイッチをオフ制御して前記第２電源スイッチをオン制御する制御手段とを備えたことを特徴とする非接触式カード錠。
【請求項２】
建物の部屋への入室を許可された者が所持する非接触ＩＣカードのカード情報を非接触で読み取り、この読み取ったカード情報に基づいて前記部屋のドアの電気錠を制御する非接触式カード錠において、
駆動電源を供給するための電池と、
前記電池からの周期的な駆動電源の供給に伴い、予め設定されたカード検知周波数の電磁波を間欠的に出力し、この電磁波の出力に伴う前記非接触ＩＣカードのＬＣ共振回路の共振により非接触ＩＣカードの存在を識別するカード検知手段と、
前記カード検知手段が前記非接触ＩＣカードの存在を識別して前記電池から駆動電源が供給されたときに、前記該非接触ＩＣカードとデータ通信して前記非接触ＩＣカードのカード情報と、前記電気錠の制御を許可する条件を示す登録情報とを照合比較し、前記カード情報と前記登録情報が一致したときに前記電気錠を制御するための制御信号を出力するデータ通信手段と、
前記カード検知手段への駆動電源の供給／遮断を切り替える第１電源スイッチと、
前記データ通信手段への駆動電源の供給／遮断を切り替える第２電源スイッチと、
所定間隔おきに前記第１電源スイッチをオン／オフ制御するとともに、前記カード検知手段からの検知信号の入力時に前記第１電源スイッチをオフ制御して前記第２電源スイッチをオン制御する制御手段とを備えたことを特徴とする非接触式カード錠。
【発明の詳細な説明】
【技術分野】
【０００１】
本発明は、例えばホテル等の建物の部屋への入室を許可された者が所持する非接触ＩＣカードに記憶されたカード情報を非接触で読み取り、この読み取ったカード情報に基づいてドアの電気錠を制御（解錠制御、施解錠制御）する非接触式カード錠に関するものである。
【背景技術】
【０００２】
例えばホテルでは、客のチェックインからチェックアウトまでを１枚の磁気カードにより管理するカードロックシステムが知られている。
【０００３】
さらに説明すると、このカードロックシステムでは、図４に示すように、各室のドア５１に配設されたエスカチオン（座金）５２に磁気カード５３の磁気情報を読み取るためのカードリーダ５４が装備されている。また、このカードリーダ５４のカード挿入口５４ａに挿入される磁気カード５３には、例えば部屋番号、チェックイン・チェックアウトの日付けや時間等の磁気情報がホストコンピュータからの書き込みによって記憶されるようになっている。
【０００４】
例えば客がホテルに宿泊する場合を例にとって説明する。客がフロントでチェックインの手続きを済ませると、フロントから磁気カード５３が客に手渡される。この磁気カード５３には、客が宿泊する部屋の部屋番号とチェックインの日付け時間が磁気情報として記憶される。客が宿泊する部屋のドア５１に設置されたカードリーダ５４のカード挿入口５４ａに磁気カード５３を挿入すると、その磁気カード５３の磁気情報が読み込まれる。そして、読み込まれた磁気情報が入室を許可して良い情報と判断されると、その部屋のドア５１の電気錠が自動的に解錠制御され、ドア５１の開放が可能となる。これにより、磁気カード５３を所持する客はその部屋に入室することができる。
【特許文献１】特開平９−２９７８６５号公報
【発明の開示】
【発明が解決しようとする課題】
【０００５】
しかし、上述した従来のカードロックシステムでは、磁気カード５３の磁気情報をカードリーダ５４によって読み取るため、磁気カード５３をわざわざカードリーダ５４のカード挿入口５４ａに挿入しなければならず、その操作が煩わしいという問題があった。また、磁気カード５３の磁気情報は、カードリーダ５４の磁気ヘッドが磁気カード５３の磁気面に直接接触して読み取られるので、読み取り時の磨耗やゴミの付着等があり、カードの耐久性に欠けるという問題があった。しかも、磁気情報を読み取るカードリーダ５４は、電池によって駆動電源が供給されるようになっているが、磁気カード５３の読み取りを行わない状態でも常時カードリーダ５４に駆動電源が供給される。このため、無駄に電力を消費して電池が消耗し、電池の交換時期を早めるという問題があった。
【０００６】
ところで、上述したカードロックシステムでは、磁気カード５３の磁気情報をカードリーダ５４の磁気ヘッドに接触させて読み取る接触型のものであるが、例えば上記特許文献１に開示される入退室管理装置のように、カード情報を発信するＩＣカードを用い、ＩＣカードから発信されるカード情報を非接触で受信し、受信したカード情報に基づいて電気錠の解錠を制御するカードロックシステムも知られている。
【０００７】
しかしながら、上記特許文献１に開示される入退室管理装置を含め、この種のＩＣカードを用いた非接触型のカードロックシステムでは、ＩＣカードのカード情報を読み取るカードリーダへの駆動電源の供給が配線を介して行われるので、配線の引き回しが面倒であった。しかも、カードリーダには常時電源が供給され、無駄に電力を消費するので、省電力化を図ることができなかった。このため、上記配線による電源供給に代えて電池を内蔵させる構成も考えられるが、常時電力を消費するという課題を解決するには至らなかった。さらに、カードリーダ側に押しボタンを設け、この押しボタンが操作されたときに、カードリーダに駆動電源を供給して起動し、ＩＣカードの情報を読み取る構成も考えられるが、押しボタンを操作するという煩わしい操作が必要となる。また、人感センサー等では、カードを通さなくても人が通るだけで誤認識があった。
【０００８】
そこで、本発明は上記問題点に鑑みてなされたものであって、無駄に電力を消費せずに省電力化を図りつつ、操作の煩わしさもなく非接触でカードの識別及びカード情報の読み取りを行うことができる非接触式カード錠を提供することを目的とする。
【課題を解決するための手段】
【０００９】
上記目的を達成するため、本発明は、駆動電源を供給するための電池と、
前記電池からの周期的な駆動電源の供給に伴い、予め設定されたカード検知周波数の電磁波を間欠的に出力し、この電磁波の出力に伴う前記非接触ＩＣカードのＬＣ共振回路の共振により非接触ＩＣカードの存在を識別するカード検知手段と、
前記カード検知手段が前記非接触ＩＣカードの存在を識別して前記電池から駆動電源が供給されたときに、前記該非接触ＩＣカードとデータ通信して前記非接触ＩＣカードのカード情報と、予め設定された登録情報とを照合比較し、前記カード情報と前記登録情報が一致したときに制御信号を出力するデータ通信手段と、
前記カード検知手段への駆動電源の供給／遮断を切り替える第１電源スイッチと、
前記データ通信手段への駆動電源の供給／遮断を切り替える第２電源スイッチと、
所定間隔おきに前記第１電源スイッチをオン／オフ制御するとともに、前記カード検知手段からの検知信号の入力時に前記第１電源スイッチをオフ制御して前記第２電源スイッチをオン制御する制御手段とを備えたことを特徴とする。
【００１０】
また、本発明は、建物の部屋への入室を許可された者が所持する非接触ＩＣカードのカード情報を非接触で読み取り、この読み取ったカード情報に基づいて前記部屋のドアの電気錠を制御する非接触式カード錠において、
駆動電源を供給するための電池と、
前記電池からの周期的な駆動電源の供給に伴い、予め設定されたカード検知周波数の電磁波を間欠的に出力し、この電磁波の出力に伴う前記非接触ＩＣカードのＬＣ共振回路の共振により非接触ＩＣカードの存在を識別するカード検知手段と、
前記カード検知手段が前記非接触ＩＣカードの存在を識別して前記電池から駆動電源が供給されたときに、前記該非接触ＩＣカードとデータ通信して前記非接触ＩＣカードのカード情報と、前記電気錠の制御を許可する条件を示す登録情報とを照合比較し、前記カード情報と前記登録情報が一致したときに前記電気錠を制御するための制御信号を出力するデータ通信手段と、
前記カード検知手段への駆動電源の供給／遮断を切り替える第１電源スイッチと、
前記データ通信手段への駆動電源の供給／遮断を切り替える第２電源スイッチと、
所定間隔おきに前記第１電源スイッチをオン／オフ制御するとともに、前記カード検知手段からの検知信号の入力時に前記第１電源スイッチをオフ制御して前記第２電源スイッチをオン制御する制御手段とを備えたことを特徴とする。
【００１１】
本発明の非接触式カード錠では、電池からカード検知手段（カード検知用ＲＦ回路、検出回路）に駆動電源が供給されている間はデータ通信手段（データ通信用ＲＦ回路）、駆動制御手段（カードロック制御回路）、電気錠への駆動電源の供給が断たれる。そして、カード検知手段が間欠的な電磁波の出力によって非接触ＩＣカードの存在を識別すると、カード検知手段への駆動電源の供給が断たれ、データ通信手段、駆動制御手段、電気錠に駆動電源が供給される。これにより、データ通信手段が非接触ＩＣカードとデータ通信を行い、非接触ＩＣカードのカード情報と登録情報とを照合比較する。そして、この照合比較結果、カード情報と登録情報が一致すると、駆動制御手段が電気錠を例えば解錠制御する。
【発明の効果】
【００１２】
本例の非接触式カード錠によれば、非接触ＩＣカードの存在の識別、カード情報の読み取り、電気錠の解錠制御までの一連の動作における電力消費を必要最小限に低減し、従来に比べて大幅に省電力化を図ることができる。
【００１３】
非接触ＩＣカードを使用し、このカードの存在の識別やカード情報を非接触で読み取る際、必要な回路に対してのみに駆動電源が供給されるので、従来のようなカードリーダにカードを挿入する操作やカードリーダを起動するためのボタン操作が不要となり、非接触ＩＣカードを所持する者が検知領域内に入っただけでカードの識別やカード情報の読み取りを行うことができる。しかも、カード情報の読み取りを非接触で行うので、磁気カードを用いたものよりもカードの耐久性も増す。
【００１４】
非接触ＩＣカードを検知するための構成（カード検知手段）、非接触ＩＣカードとデータ通信を行う構成（データ通信手段）、電気錠を解錠制御する構成（カードロック制御回路）がロジックとして別々の構成に分かれているので、データ通信手段の回路構成の選択の自由度が増し、非接触ＩＣカードの識別とカード情報の読み書きに同じアンテナを使用でき、用途に応じてはカード検知手段とデータ通信用手段でアンテナの分離も可能となる。
【００１５】
各構成がロジックとして分かれ、電圧一定で動作するデータ通信用ＲＦ回路７と、検知手段（カード検知用ＲＦ回路、検出回路）とが別体に構成されるので、非接触ＩＣカードのカード検知周波数が独立して選択可能となる。しかも、非接触ＩＣカードを識別する際のカード検知電力の可変も容易に行うことができる。これにより、非接触ＩＣカードの検知範囲距離の設定をある程度自由に行うことができる。
【００１６】
各構成がロジックとして分かれた構成により、非接触ＩＣカードの識別、非接触ＩＣカードとの間のデータ通信、カードロック制御において電源が同時に消費されることが無いので、待機時の消費電流が少なくて済み、省電力化を図ることができる。
【発明を実施するための最良の形態】
【００１７】
図１は本発明に係る非接触式カード錠の概略構成を示すブロック図、図２（ａ），（ｂ）は本発明に係る非接触式カード錠が組み込まれるエスカチオンの平面図及び側面図、図３は本発明に係る非接触式カード錠の動作を示すフローチャート図である。
【００１８】
本例では、非接触式カード錠の制御対象を例えばホテルの各部屋（客室）のドアに組み込まれた電気錠として説明している。本例の非接触式カード錠は、ホテルの各部屋（客室）のドアに組み込まれ、部屋への入室を許可された者が所持する非接触式カードとしての非接触式ＩＣカードが特定カードか否かを非接触で識別し、特定カードと識別したカード内のカード情報を非接触で読み取り、読み取ったカード情報に基づいてドアの電気錠の解錠制御を行っている。
【００１９】
図１に示すように、非接触式カード錠１は、制御手段としてのコントローラ２、電池３、第１電源スイッチとしての周期電源スイッチ４、第２電源スイッチとしての主電源スイッチ５、カード検知用ＲＦ回路６ａと検出回路６ｂを含むカード検知手段６、データ通信手段としてのデータ通信用ＲＦ回路７、駆動制御手段としてのカードロック制御回路８、電気錠９を備えて概略構成される。非接触式カード錠は、上記構成部品がユニット化され、例えば図２に示すドアのスカチオン２１の内部に組み込まれ、アンテナ部分がエスカチオン２１の上部に設けられるカバー部２１ａの内側に配置される。
【００２０】
非接触ＩＣカード１０は、電気錠９の解錠制御に使用される。この非接触ＩＣカード１０は、アンテナ１０ａ、ＬＣ共振回路１０ｂ、ＣＰＵ及びメモリを備えたＩＣチップ１０ｃが内部に搭載されたものである。非接触ＩＣカード１０は、基本的にその建物の部屋への入室を許可された者が所持する。ここでは、ホテルの各部屋のドアの電気錠を解錠制御する場合を例にとって説明するので、ホテルのチェックインを済ませた者が非接触ＩＣカード１０を所持することになり、その非接触ＩＣカード１０には宿泊する部屋に関するカード情報（物件コード、部屋番号、有効期限、チェックイン・チェックアウトの日付時間、滞在期間など）が記憶される。
【００２１】
図１におけるコントローラ２は、内部に周期タイマー２ａを備え、電池３から常時電源が供給されており、周期タイマー２ａが周期的に時間をカウントし、所定周期をカウントする毎にカウント値がリセットされる。このコントローラ２は、周期タイマー２ａによる所定周期のカウント値やカード検知手段６（検出回路６ｂ）からの検知信号に基づいて周期電源スイッチ４及び主電源スイッチ５に切替信号を出力して接点を切り替え、周期電源スイッチ４及び主電源スイッチ５を連動してオン／オフ制御している。なお、コントローラ２は、電池３から供給される電力を各部（カード検知手段６、データ通信手段７、駆動制御手段８、電気錠９）の駆動に必要な電力に変換する変換回路を備えている。
【００２２】
図１における電池３は、着脱交換が可能であり、電源供給ライン（図１の周期電源供給ラインＬ１、主電源供給ラインＬ２）を介してコントローラ２、カード検知手段６（カード検知用ＲＦ回路６ａ、検出回路６ｂ）、データ通信用ＲＦ回路７、カードロック制御回路８、電気錠９等の各部に駆動電源を供給している。
【００２３】
図１において、第１電源スイッチをなす周期電源スイッチ４は、コントローラ２とカード検知手段６（カード検知用ＲＦ回路６ａ）との間に設けられる。この周期電源スイッチ４は、コントローラ２からの切替信号により第２電源スイッチをなす主電源スイッチ５と連動して接点が切り替えられ、オン／オフ制御される。すなわち、周期電源スイッチ４は、待機状態のときに、周期タイマー２ａが所定周期をカウントする間隔おきにコントローラ２から入力される切替信号により接点が開閉され、オン／オフ制御される。また、周期電源スイッチ４は、検出回路６ｂが非接触ＩＣカード１０の存在を識別したときに、コントローラ２からの切替信号により接点を開いてオフするように切替制御される。さらに、周期電源スイッチ４は、コントローラ２からの切替信号により第２電源スイッチをなす主電源スイッチ５と連動して切替制御され、主電源スイッチ５の接点が閉じてオンしている間では接点が開いてオフしている。
【００２４】
図１におけるカード検知用ＲＦ回路６ａは、周期電源スイッチ４を介してコントローラ２に接続され、周期電源スイッチ４の接点が閉じてオンしているときに電池３からコントローラ２を介して駆動電源が周期的に供給され、間欠的に電磁波を出力している。この間欠的に出力される電磁波は、その出力電圧を可変することにより、カード検知範囲の距離を変えることができる。
【００２５】
図１における検出回路６ｂは、カード検知用ＲＦ回路６ａに接続され、カード検知用ＲＦ回路６ａからの間欠的な電磁波の出力によって非接触ＩＣカード１０内のＬＣ共振回路が共振したときに、非接触ＩＣカードの存在を識別し、その旨の検知信号をコントローラ２に出力している。
【００２６】
図１におけるデータ通信用ＲＦ回路７は、検出回路６ｂが非接触ＩＣカード１０を識別して検知信号がコントローラ２に入力され、主電源スイッチ５の接点が閉じてオンしたときに、電池３からコントローラ２を介して駆動電源が供給される。このデータ通信用ＲＦ回路７は、電圧一定で動作する回路であり、存在が識別された非接触ＩＣカード１０との間でデータ通信を行い、非接触ＩＣカード１０から読み取ったカード情報と、予め設定された部屋への入室を許可する条件を示す登録情報（入室を許可する情報：例えば部屋番号、滞在期間、チェックインの日付や時間など）とを比較照合し、この比較照合結果から非接触ＩＣカード１０を所持する者の入室を許可して良いかを判断している。そして、データ通信用ＲＦ回路７は、入室を許可して良いと判断したときに、カードロック制御回路８に電気錠９の解錠許可を促す制御信号を出力している。
【００２７】
カードロック制御回路８は、データ通信用ＲＦ回路７から制御信号が入力されたときに、電気錠９に解錠信号を出力して電気錠９を解錠制御している。
【００２８】
なお、図示はしないが、電気錠９は、ノブ、ラッチボルド、デッドボルトなどとともに錠箱（ハウジング）に組み込まれた施解錠機構の一部を構成している。そして、電気錠９は、カードロック制御回路８から解錠信号が入力されたときに、不図示のアクチュエータの駆動によりデッドボルトが退避して解錠される。
【００２９】
このように、本例の非接触式カード錠１は、電池３からカード検知手段６（カード検知用ＲＦ回路６ａ、検出回路６ｂ）に駆動電源が供給されている間はデータ通信用ＲＦ回路（データ通信手段）７、カードロック制御回路（駆動制御手段）８、電気錠９への駆動電源の供給が断たれる。そして、カード検知用ＲＦ回路６ａからの間欠的な電磁波の出力に伴って検出回路６ｂが非接触ＩＣカード１０の存在を識別すると、カード検知手段６への駆動電源の供給が断たれ、データ通信用ＲＦ回路７、カードロック制御回路８、電気錠９に駆動電源が供給されるようになっている。これにより、データ通信用ＲＦ回路７が非接触ＩＣカード１０とデータ通信を行い、非接触ＩＣカード１０から読み取ったカード情報を登録情報と比較照合する。そして、この比較照合結果、その部屋への入室を許可して良いと判断すると、カードロック制御回路８が電気錠９を解錠制御する。
【００３０】
次に、上記のように構成された非接触式カード錠１の解錠時の動作について図３のフローチャートを参照しながら説明する。
【００３１】
待機状態（ＳＴ１〜ＳＴ３）では、コントローラ２の周期タイマー２ａが所定周期をカウントする毎の間隔（例えば５００ｍｓｅｃ）おきに周期電源スイッチ４の接点を開閉してオン／オフ制御する。これにより、カード検知手段６（カード検知用ＲＦ回路６ａ、検出回路６ｂ）には、電池３からコントローラ２を介して駆動電源が周期電源供給ラインＬ１を通じて周期的に供給される（ＳＴ４）。カード検知用ＲＦ回路６ａは、電池３から駆動電源が供給されると、予め設定されたカード検知周波数（例えば１３．５６ＭＨｚ）の電磁波を間欠的に出力する（ＳＴ５）。このとき、主電源スイッチ５は接点が開いてオフしている。これにより、電池３から主電源供給ラインＬ２を介してのデータ通信用ＲＦ回路７、カードロック制御回路８、電気錠９への駆動電源の供給が断たれている。
【００３２】
この状態で非接触ＩＣカード１０を所持した者がドアに近づき、非接触ＩＣカード１０がカード検知領域内に入ると（例えば非接触ＩＣカード１０がドアのエスカチオン２１のカバー部２１ａ上にかざすと）、カード検知手段６（カード検知用ＲＦ回路６ａ、検出回路６ｂ）によって非接触ＩＣカード１０の存在の有無が識別される。そして、非接触ＩＣカード１０の存在が識別されて特定のカードと判断すると、すなわちカード検知用ＲＦ回路６ａに設定されたカード検知周波数（例えば１３．５６ＭＨｚ）のカードであれば、その非接触ＩＣカード１０内のＬＣ共振回路１０ｂがカード検知用ＲＦ回路６ａからの間欠的な電磁波により共振する。そして、非接触ＩＣカード１０内のＬＣ共振回路１０ｂが共振すると（ＳＴ６）、検出回路６ｂがこの共振周波数を検出して非接触ＩＣカード１０の存在を識別し、その旨の検知信号をコントローラ２に出力する（ＳＴ７）。
【００３３】
コントローラ２は、検出回路６ｂから非接触ＩＣカード１０の存在を識別した旨の検知信号が入力されると、周期電源スイッチ４の接点を開いてオフし、主電源スイッチ５の接点を閉じてオンするように周期電源スイッチ４及び主電源スイッチ５を連動して切替制御する（ＳＴ８）。これにより、カード検知手段６への駆動電源の供給が断たれ、データ通信用ＲＦ回路７、カードロック制御回路８、電気錠９に対して電池３から駆動電源が供給される（ＳＴ９）。
【００３４】
そして、データ通信用ＲＦ回路７は、電池３から駆動電源が供給されると、非接触ＩＣカード１０との間で通信を行い、非接触ＩＣカード１０から読み取ったカード情報と、予め設定された登録情報（入室を許可する情報：例えば部屋番号、滞在期間、チェックインの日付や時間など）とを比較照合する（ＳＴ１０）。そして、データ通信用ＲＦ回路７は、カード情報の内容が入室を許可して良い内容と判断したときに、カードロック制御回路８に電気錠９の解錠許可を促す制御信号を出力する。
【００３５】
カードロック制御回路８は、データ通信用ＲＦ回路７から制御信号が入力されると、電気錠９に解錠信号を出力して不図示のアクチュエータを駆動し、デッドボルトを退避させて電気錠９を解錠制御する（ＳＴ１１）。これにより、非接触ＩＣカード１０を所持した者は、その部屋のドアを開けて入室することができる。
【００３６】
このように、本例の非接触式カード錠１では、待機状態において周期的にカード検知手段６に電池３から電源を周期的に供給して間欠的に電磁波を出力し、この電磁波の出力に伴う共振の有無に基づいて非接触ＩＣカード１０の存在を識別している。そして、このカードの識別を行う間は、非接触ＩＣカード１０との間のデータ通信を行うためのデータ通信用ＲＦ回路７への電源供給が断たれ、非接触ＩＣカード１０の存在が確認されると、データ通信用ＲＦ回路７に電池３から電源を供給して非接触ＩＣカード１０との間でデータ通信を行い、非接触ＩＣカード１０のカード情報と登録情報とを比較照合し、この比較照合結果に基づいて電気錠９を解錠制御している。
【００３７】
したがって、本例の非接触式カード錠によれば、非接触ＩＣカードの存在の識別、カード情報の読み取り、電気錠の解錠制御までの一連の動作における電力消費を必要最小限に低減し、従来に比べて大幅に省電力化を図ることができる。
【００３８】
また、非接触ＩＣカードを使用し、このカードの存在の識別やカード情報を非接触で読み取る際、必要な回路に対してのみに駆動電源が供給されるので、従来のようなカードリーダにカードを挿入する操作やカードリーダを起動するためのボタン操作が不要となり、非接触ＩＣカードを所持する者が検知領域内に入っただけでカードの識別やカード情報の読み取りを行うことができる。しかも、カード情報の読み取りを非接触で行うので、磁気カードを用いたものよりもカードの耐久性も増す。
【００３９】
そして、本例の非接触式カード錠１では、非接触ＩＣカード１０を検知するための構成（カード検知手段６）、非接触ＩＣカード１０とデータ通信を行う構成（データ通信手段７）、電気錠９を解錠制御する構成（カードロック制御回路８）がロジックとして別々の構成に分かれている。これにより、データ通信用ＲＦ回路７の選択の自由度が増す。また、カード検知用ＲＦ回路６ａとデータ通信用ＲＦ回路７により同じアンテナで非接触ＩＣカード１０の識別とカード情報の読み書きを行うことができ、用途に応じてカード検知用ＲＦ回路６ａとデータ通信用ＲＦ回路７でアンテナの分離も可能となる。
【００４０】
また、各構成がロジックとして分かれ、電圧一定で動作するデータ通信用ＲＦ回路７と、検知手段（カード検知用ＲＦ回路、検出回路）とが別体に構成されるので、非接触ＩＣカード１０のカード検知周波数を１３．５６ＭＨｚに限らず独立して選択可能となる。しかも、非接触ＩＣカード１０を識別する際のカード検知電力の可変も容易に行うことができる。これにより、非接触ＩＣカード１０の検知範囲距離の設定をある程度自由に行うことができる。
【００４１】
さらに、各構成がロジックとして分かれた構成により、非接触ＩＣカード１０の識別、非接触ＩＣカード１０との間のデータ通信、カードロック制御において電源が同時に消費されることが無いので、待機時の消費電流が少なくて済み、省電力化を図ることができる。
【００４２】
ところで、上述した形態では、非接触式カード錠をドアに組み込む構成しているが、ドアに組み込まず、別体のユニットで構成して例えばドアに近接した壁面に取り付けることも可能である。
【００４３】
また、上述した形態では、本例の非接触式カード錠１をホテルの各部屋（客室）のドアに採用した場合について説明したが、非接触ＩＣカード１０のカード情報を非接触で識別して照合比較を行うものであれば、ホテルの各部屋のドアに限らず各種ドアの解錠制御に採用できる他、電気錠の解錠制御だけでなく施解錠制御を行う構成としても良い。この場合、非接触ＩＣカードのカード情報を読み取り、読み取ったカード情報が登録情報と一致する毎に解錠制御と施錠制御が繰り返される。例えば電気錠が解錠状態のときに非接触ＩＣカードのカード情報が読み取られてカード情報が登録情報と一致すれば電気錠が施錠制御され、その後、非接触ＩＣカードのカード情報が読み取られて登録情報と一致すれば電気錠が解錠制御される。また、本例の非接触式カード錠は、次世代高速通信カードや高セキュリティーカードへの応用も可能であり、非接触ＩＣカードを用いた各種制御に利用することができる。その際、非接触ＩＣカードに記憶されるカード情報と、このカード情報と照合比較される登録情報とは、制御対象に応じて適した情報が予め設定される。
【００４４】
さらに、本例では、周期電源スイッチ（第１電源スイッチ）４及び主電源スイッチ（第２電源スイッチ）５をコントローラ（制御手段）２からの制御信号で接点を切り替えてオン・オフ制御する構成として説明したが、コントローラ２からソフトウエア上で周期電源スイッチ４及び主電源スイッチ５をオン・オフ制御して切り替えを行う構成とすることもできる。また、カード検知用ＲＦ回路６ａとデータ通信用回路７は、ロジックとして分かれているので、１枚基板でも構成することができる。
【図面の簡単な説明】
【００４５】
【図１】本発明に係る非接触式カード錠の概略構成を示すブロック図である。
【図２】（ａ），（ｂ）本発明に係る非接触式カード錠が組み込まれるエスカチオンの平面図及び側面図である。
【図３】本発明に係る非接触式カード錠の動作を示すフローチャート図である。
【図４】従来のカードロックシステムに採用されるカードリーダの概略構成図である。
【符号の説明】
【００４６】
１…非接触式カード錠、２…コントローラ（制御手段）、２ａ…周期タイマー、３…電池、４…周期電源スイッチ（第１電源スイッチ）、５…主電源スイッチ（第２電源スイッチ）、６…カード検知手段、６ａ…カード検知用ＲＦ回路、６ｂ…検出回路、７…データ通信用ＲＦ回路（データ通信手段）、８…カードロック制御回路（駆動制御手段）、９…電気錠、１０…非接触ＩＣカード。
【図１】
2005023734.tif 000003
【図２】
2005023734.tif 000004
【図３】
2005023734.tif 000005
【図４】
2005023734.tif 000006